(57)【要約】  【課題】外周面に段部13が突設された高荷重形引掛シーリングボディ12にシャンデリア形の照明器具23を簡単に取り付ける取付アダプタ22を提供する。  【解決手段】取付アダプタ22には、引掛シーリングボディ取付部26と照明器具取付部27とを設ける。引掛シーリングボディ取付部26には、高荷重形引掛シーリングボディ12を挿通させる挿通孔29、挿通孔29の内方に突出して高荷重形引掛シーリングボディ12の段部13に係止する係止部33を設ける。照明器具取付部27には、引掛シーリングボディ取付部26に設けられた取付ベースから下方へ向けて突出するねじ部44を設ける。高荷重形引掛シーリングボディ12に取り付けた取付アダプタ22のねじ部44を利用し、シャンデリア形の照明器具23を取り付ける。  【選択図】図１
2005078845.tif 000002
【特許請求の範囲】
【請求項１】
外周面に段部が突設された引掛シーリングボディを挿通させる挿通孔、および挿通孔の内方に突出して引掛シーリングボディの段部に着脱可能に係止する係止部を有する引掛シーリングボディ取付部と；
引掛シーリングボディ取付部に設けられた取付ベース、および引掛シーリングボディへの取付状態で取付ベースから下方へ向けて突出され照明器具が取り付けられるねじ部を有する照明器具取付部と；
を具備していることを特徴とする取付アダプタ。
【請求項２】
引掛シーリングボディが設置された設置面に当接し、引掛シーリングボディ取付部の係止部を引掛シーリングボディの段部に押し付ける調整具を備えた
ことを特徴とする請求項１記載の取付アダプタ。
【請求項３】
請求項１または２記載の取付アダプタと；
取付アダプタのねじ部を挿通させる取付孔を有する器具本体、器具本体の取付孔を挿通させたねじ部に螺着するナット、および器具本体に取り付けられた灯体を有する照明器具と；
を具備していることを特徴とする照明装置。
【発明の詳細な説明】
【技術分野】
【０００１】
本発明は、外周面に段部が突設された引掛シーリングボディに照明器具を取り付ける取付アダプタ、およびこの取付アダプタを用いた照明装置に関する。
【背景技術】
【０００２】
従来、照明器具を天井面に簡単に取り付けるために天井面に予め設置された引掛シーリングボディが利用されている。この引掛シーリングボディは、各種の種類があるが、外周面に段部が突設されていて高荷重の照明器具の取り付けにも対応できる高荷重形引掛シーリングボディが用いられることが多くなる傾向にある。
【０００３】
高荷重形引掛シーリングボディを利用して取り付ける照明器具としては、環形蛍光ランプを用いる天井直付形照明器具がある。この天井直付形照明器具では、円盤状の器具本体の中央に取付装置を固定し、この取付装置に設けられた挿通孔に高荷重形引掛シーリングボディを挿通させ、挿通孔の内方へ向けてばね付勢された係止部を高荷重形引掛シーリングボディの段部上に係止させることにより、高荷重形引掛シーリングボディに器具本体を取り付けている。また、高荷重形引掛シーリングボディに器具本体側からの引掛シーリングキャップを電気的に接続している（例えば、特許文献１参照）。
【０００４】
また、シャンデリアなど照明器具の取付方法は、天井面に高荷重形引掛シーリングボディが設置されていた場合、この高荷重形引掛シーリングボディの周囲に環状の取付金具を配置してこの取付金具を天井面にねじ止め設置し、高荷重形引掛シーリングボディにシャンデリアなどの器具本体側からの引掛シーリングキャップを電気的に接続した後、取付金具から下方へ向けて突出するねじ部をシャンデリアなどの器具本体に設けた取付孔に挿通させ、取付孔を挿通させたねじ部にナットを螺着することにより、取付金具にシャンデリアなどの器具本体を取り付けている。
【特許文献１】特開２０００−２６０２２０号公報（第３頁、図４−５）
【発明の開示】
【発明が解決しようとする課題】
【０００５】
上述のように、環形蛍光ランプを用いる天井直付形照明器具などでは、高荷重形引掛シーリングボディを利用して簡単に取り付けることができるが、シャンデリアなどのように天井面に設置された取付金具から下方へ向けて突出するねじ部を利用して取り付ける取付方法を用いた照明器具では、天井面に高荷重形引掛シーリングボディが設置されていても、この高荷重形引掛シーリングボディを取り付けには利用せず、天井面に別に設置する取付金具を利用している。そのため、取付金具を天井面に設置するための工事が必要となり、シャンデリアなどの照明器具を簡単に取り付けることができない問題がある。
【０００６】
本発明は、このような点に鑑みなされたもので、外周面に段部が突設された引掛シーリングボディに例えばシャンデリアなどの照明器具を簡単に取り付けることができる取付アダプタおよび照明装置を提供することを目的とする。
【課題を解決するための手段】
【０００７】
請求項１記載の取付アダプタは、外周面に段部が突設された引掛シーリングボディを挿通させる挿通孔、および挿通孔の内方に突出して引掛シーリングボディの段部に着脱可能に係止する係止部を有する引掛シーリングボディ取付部と；引掛シーリングボディ取付部に設けられた取付ベース、および引掛シーリングボディへの取付状態で取付ベースから下方へ向けて突出され照明器具が取り付けられるねじ部を有する照明器具取付部とを具備しているものである。
【０００８】
そして、この構成では、外周面に段部が突設された引掛シーリングボディを引掛シーリングボディ取付部の挿通孔に挿通させ、この挿通孔の内方へ突出する係止部を引掛シーリングボディの段部に係止させることにより、引掛シーリングボディ取付部および照明器具取付部を有する取付アダプタを引掛シーリングボディに取り付け、また、引掛シーリングボディへの取付状態で照明器具取付部の取付ベースから下方へ向けて突出するねじ部を利用することにより例えばシャンデリアなどの照明器具が簡単に取り付けられる。したがって、従来用いていた取付金具が必要なく、その取付金具の工事も必要なく、引掛シーリングボディおよび取付アダプタを利用して照明器具が簡単に取り付けられる。
【０００９】
請求項２記載の取付アダプタは、請求項１記載の取付アダプタにおいて、引掛シーリングボディが設置された設置面に当接し、引掛シーリングボディ取付部の係止部を引掛シーリングボディの段部に押し付ける調整具を備えたものである。
【００１０】
そして、この構成では、引掛シーリングボディが設置された設置面に調整具を当接させて、引掛シーリングボディ取付部の係止部を引掛シーリングボディの段部上に押し付けるため、取付アダプタのがたつきが防止されて引掛シーリングボディへの取付状態が安定する。
【００１１】
請求項３記載の照明装置は、請求項１または２記載の取付アダプタと；取付アダプタのねじ部を挿通させる取付孔を有する器具本体、器具本体の取付孔を挿通させたねじ部に螺着するナット、および器具本体に取り付けられた灯体を有する照明器具と；を具備しているものである。
【００１２】
そして、この構成では、請求項１または２記載の取付アダプタを利用して例えばシャンデリアなどの照明器具が簡単に取り付けられる。
【発明の効果】
【００１３】
請求項１記載の取付アダプタによれば、外周面に段部が突設された引掛シーリングボディを引掛シーリングボディ取付部の挿通孔に挿通させ、この挿通孔の内方へ突出する係止部を引掛シーリングボディの段部に係止させることにより、引掛シーリングボディ取付部および照明器具取付部を有する取付アダプタを引掛シーリングボディに取り付けることができ、この引掛シーリングボディへの取付状態で照明器具取付部の取付ベースから下方へ向けて突出するねじ部を利用することにより例えばシャンデリアなどの照明器具を簡単に取り付けることができる。したがって、従来用いていた取付金具が必要なく、その取付金具の工事も必要なく、引掛シーリングボディおよび取付アダプタを利用して照明器具を簡単に取り付けることができる。
【００１４】
請求項２記載の取付アダプタによれば、請求項１記載の取付アダプタの効果に加えて、引掛シーリングボディが設置された設置面に調整具を当接させて、引掛シーリングボディ取付部の係止部を引掛シーリングボディの段部上に押し付けるため、取付アダプタのがたつきを防止して引掛シーリングボディへの取付状態を安定させることができる。
【００１５】
請求項３記載の照明装置によれば、請求項１または２記載の取付アダプタを利用して例えばシャンデリアなどの照明器具を簡単に取り付けることができる。
【発明を実施するための最良の形態】
【００１６】
以下、本発明の一実施の形態を図面を参照して説明する。
【００１７】
図１は取付アダプタおよび照明器具を用いた照明装置の断面図、図２は取付アダプタの断面図、図３は取付アダプタの底面図、図４は取付アダプタの平面図である。
【００１８】
図１に示すように、設置面としての天井面11には、引掛シーリングボディとしての高荷重形引掛シーリングボディ12が設置されている。この高荷重形引掛シーリングボディ12は、円筒形で、その外周面の下部側に段部13が突設されており、高荷重照明器具の取り付けに対応している。高荷重形引掛シーリングボディ12の下面には引掛シーリングキャップが接続可能になっている。
【００１９】
高荷重形引掛シーリングボディ12を利用して天井面11に照明装置21が取り付けられている。この照明装置21は、高荷重形引掛シーリングボディ12に取り付けられる取付アダプタ22、この取付アダプタ22を介して高荷重形引掛シーリングボディ12に取り付けられるシャンデリア形の照明器具23を備えている。
【００２０】
また、図１ないし図４に示すように、取付アダプタ22は、荷重形引掛シーリングボディ12に取り付けられる引掛シーリングボディ取付部26と照明器具23を取り付ける照明器具取付部27とを一体に備えている。
【００２１】
取付アダプタ22の引掛シーリングボディ取付部26は、例えば樹脂製のアダプタ本体28を有し、このアダプタ本体28の中央に高荷重形引掛シーリングボディ12を挿通させる断面円形の挿通孔29が上下方向に貫通形成され、この貫通孔29の周囲に筒状部30が形成されている。貫通孔29を中心とする筒状部30の両側には収容部31が対称に形成され、これら各収容部31には貫通孔29に開口する溝部32が形成され、この溝部32には貫通孔29の内方へ突出して高荷重形引掛シーリングボディ12の段部13に係止する係止部33が配置されているとともに係止部33を付勢する図示しないスプリングなどの付勢手段が配置され、この溝部32に配置された係止部33および付勢手段を覆うカバー34が収容部31に取り付けられている。
【００２２】
係止部33は、収容部31の溝部32内で高荷重形引掛シーリングボディ12に対する係脱方向（すなわち挿通孔29を中心とする径方向）へ向けて移動可能に配置される基部35を有し、貫通孔29の内方へ突出する基部35の先端には高荷重形引掛シーリングボディ12の段部13上に係止する係止爪36が形成され、この係止爪36の先端面は高荷重形引掛シーリングボディ12の外周面形状に対応して曲面に形成されている。係止部33の基部35には、この係止部33を付勢手段の付勢に抗して高荷重形引掛シーリングボディ12の段部13から外すための操作部37が突設されている。
【００２３】
カバー34は、溝部32に配置された係止部33を係脱方向へ移動可能に覆っており、係止部33の操作部37が係脱方向に移動可能に配置される窓孔38が形成されている。
【００２４】
アダプタ本体28の周囲の下部側から段状に突出して照明器具取付部27が載った状態に係合する係合部39が形成されている。
【００２５】
また、取付アダプタ22の照明器具取付部27は、例えば金属製で円板状に形成された取付ベース40を有し、この取付ベース40の内側には引掛シーリングボディ取付部26の筒状部30および両収容部31が嵌合する嵌合孔41が形成され、取付ベース40の周縁部には下方へ向けて折曲された縁部42が形成されている。取付ベース40の嵌合孔41の周縁下面が引掛シーリングボディ取付部26の係合部39に載った状態に係合し、その係合部39との係合位置に対応して複数の孔部43が形成され、これら孔部43を通じて図示しないねじを係合部39に螺着して一体に取り付けている。
【００２６】
取付ベース40の外周縁近傍の複数箇所であって実施の形態では２箇所の対称位置には、照明器具23を取り付けるための複数のねじ部44が取付アダプタ22の高荷重形引掛シーリングボディ12への取付状態で下方へ向けて突出されている。これらねじ部44は、ねじ部44の基端に頭部45を有するねじ46であり、取付ベース40に設けられた孔部47を上方から下方へ挿通し、ねじ部44の先端からナット48を螺合することにより、頭部45とナット48との間で取付ベース40を挟持して固定されている。
【００２７】
取付ベース40には、照明器具23を仮吊するための複数の仮吊部49が取付ベース40の下面側に切り起こし形成されている。
【００２８】
取付ベース40には、調整具としての複数の調整ねじ50が取付ベース40の下面側から上面側に螺合貫通されている。
【００２９】
また、照明器具23は、取付アダプタ22に取り付けられる器具本体53を有し、この器具本体53は上側器具部54、下側器具部55、およびこれら上側器具部54と下側器具部55とを連結する複数のパイプ56を有している。上側器具部54は、上方に開口したカップ状に形成され、高荷重形引掛シーリングボディ12およびこの高荷重形引掛シーリングボディ12に取り付けられた取付アダプタ22を収容する収容空間57を有し、下面周縁には平坦部58が形成され、この平坦部58に各ねじ部44が挿通する取付孔59が形成されている。上側器具部54の取付孔59を挿通したねじ部44の先端には化粧ナットであって袋ナット状のナット60が螺合され、上側器具部54の上端が天井面11に当接した状態で照明器具23が取り付けられる。
【００３０】
下側器具部55からは中空状の複数のアーム61が放射状に突設され、これら各アーム61の先端に灯体62が取り付けられている。灯体62は、ランプ63を接続するソケット64、およびランプ63を覆うグローブ65を有している。
【００３１】
上側器具部54内には、高荷重形引掛シーリングボディ12に電気的に接続される引掛シーリングキャップ66が配置され、この引掛シーリングキャップ66に接続された電線67がパイプ56内、下側器具部55内、および各アーム61内を通じて配線されて各灯体62のソケット64に接続されている。
【００３２】
上側器具部54内には取付金具68が取り付けられ、この取付金具68に仮吊部材としてのチェーン69の一端が連結されている。図にはチェーン69の一部のみを示す。
【００３３】
次に、本実施の形態の作用を説明する。
【００３４】
天井面11に予め設置されている高荷重形引掛シーリングボディ12を利用して照明装置21を取り付けるには、まず、取付アダプタ22の挿通孔29を高荷重形引掛シーリングボディ12の周囲に合わせ、取付アダプタ22を押し上げる。この取付アダプタ22の押し上げにより、挿通孔29の内方へ突出する両係止部33が高荷重形引掛シーリングボディ12の段部13に当接し、両係止部33とも付勢手段の付勢に抗して挿通孔29内から退避し、そして、両係止部33が段部13の上方へ乗り越えることにより、両係止部33が段部13上に引っ掛かる状態となって係止する。
【００３５】
取付アダプタ22の各調整ねじ50を操作し、これら各調整ねじ50の先端を天井面11に当接させて両係止部33を段部13上に押し付け、取付アダプタ22のがたつきを防止する。
【００３６】
照明器具23の上側器具部54内に配置されているチェーン69の先端を取付アダプタ22の仮吊部49に引っ掛け、照明器具23を取付アダプタ22に仮吊りする。この照明器具23の仮吊状態で、上側器具部54内に配置されている引掛シーリングキャップ66を高荷重形引掛シーリングボディ12に接続し、電源側に対して各灯体62のソケット64を電気的に接続する。
【００３７】
照明器具23の上側器具部54で高荷重形引掛シーリングボディ12および取付アダプタ22を覆うように被せながら、取付アダプタ22から下方へ向けて突出する各ねじ部44の先端を上側器具部54の取付孔59を通じて上側器具部54の下面側に突出させる。上側器具部54の下面側に突出した各ねじ部44にナット60を螺合して締め付け、上側器具部54の上端を天井面11に当接した状態に照明器具23を取り付ける。
【００３８】
また、照明装置21を取り外す場合には、各ナット60を緩めて外し、照明器具23を下降させ、引掛シーリングキャップ66を高荷重形引掛シーリングボディ12から外し、チェーン69の先端を取付アダプタ22の仮吊部49から外すことにより、照明器具23を取り外す。取付アダプタ22の両係止部33の操作部37を係止解除方向に操作し、係止部33を高荷重形引掛シーリングボディ12の段部13から外し、取付アダプタ22を高荷重形引掛シーリングボディ12の下方に移動させて取り外す。
【００３９】
このように、高荷重形引掛シーリングボディ12を引掛シーリングボディ取付部26の挿通孔29に挿通させ、この挿通孔29の内方へ突出する係止部33を高荷重形引掛シーリングボディ12の段部13に係止させることにより、引掛シーリングボディ取付部26および照明器具取付部27を有する取付アダプタ22を高荷重形引掛シーリングボディ12に取り付けることができ、この高荷重形引掛シーリングボディ12への取付状態で照明器具取付部27の取付ベース40から下方へ向けて突出するねじ部44を利用することによりシャンデリア形の照明器具23を簡単に取り付けることができる。したがって、従来用いていた取付金具が必要なく、その取付金具の工事も必要なく、高荷重形引掛シーリングボディ12および取付アダプタ22を利用してシャンデリア形の照明器具23を簡単に取り付けることができる。
【００４０】
また、取付アダプタ22の照明器具取付部27の仮吊部49に照明器具23を仮吊りするチェーン69を取り付けることができるため、照明器具23の取付性を容易にできる。
【００４１】
また、高荷重形引掛シーリングボディ12が設置された天井面11に調整ねじ50を当接させて、引掛シーリングボディ取付部26の係止部33を高荷重形引掛シーリングボディ12の段部13上に押し付けるため、取付アダプタ22のがたつきを防止して高荷重形引掛シーリングボディ12への取付状態を安定させることができる。
【００４２】
なお、調整具としては、調整ねじ50に限らず、天井面11と取付アダプタ22との間に介在させるパッキングなどの弾性体でもよく、高荷重形引掛シーリングボディ12への取付アダプタ22の取付後の調整作業を不要にできる。
【００４３】
また、仮吊部材としては、チェーン69に限らず、ワイヤ、ロープなどでもよい。
【００４４】
また、照明器具としては、シャンデリア形の照明器具23に限らず、このシャンデリア形の照明器具23と同様に、取付アダプタ22のねじ部44を利用して取り付ける取付方法を採用する照明器具に適用できる。
【図面の簡単な説明】
【００４５】
【図１】本発明の一実施の形態を示す取付アダプタおよび照明器具を用いた照明装置の断面図である。
【図２】同上取付アダプタの断面図である。
【図３】同上取付アダプタの底面図である。
【図４】同上取付アダプタの平面図である。
【符号の説明】
【００４６】
11    設置面としての天井面
12    引掛シーリングボディとしての高荷重形引掛シーリングボディ
13    段部
21    照明装置
22    取付アダプタ
23    照明器具
26    引掛シーリングボディ取付部
27    照明器具取付部
29    挿通孔
33    係止部
40    取付ベース
44    ねじ部
50    調整具としての調整ねじ
53    器具本体
59    取付孔
60    ナット
62    灯体
【図１】
2005078845.tif 000003
【図２】
2005078845.tif 000004
【図３】
2005078845.tif 000005
【図４】
2005078845.tif 000006